(57)【要約】【課題】  列車内より、従来は購入出来なかった途中停車駅で販売している商品についても、購入することが可能となる列車からの発注システムを提供する。【解決手段】  クライアントと、前記クライアントと第１のネットワークを介して互いに相互に接続される列車内サーバと、前記列車内サーバと第２のネットワークを介して互いに相互に接続される途中停車駅の駅内サーバおよび店舗端末装置とを備え、クライアントが、自己の乗車する列車の座席番号と、途中停車駅で購入を希望する商品名と数量を記載した注文リストを列車内サーバに送信し、列車内サーバが、クライアントから送信された注文リストを途中停車駅の駅内サーバに送信し、途中停車駅の駅内サーバが、前記注文リストに記載された商品が前記注文リストに記載された数量分だけ在庫があるか否かを判断し、在庫有りの場合に、店舗端末装置に発注する。【選択図】        図１
2005258510.tif 000002
【特許請求の範囲】
【請求項１】
クライアントと、
前記クライアントと第１のネットワークを介して互いに相互に接続される列車内サーバと、
前記列車内サーバと第２のネットワーク介をして互いに相互に接続される途中停車駅の駅内サーバ、および店舗端末装置とを備え、
前記列車内サーバは、座席毎の商品の注文内容を管理する座席毎注文内容管理データベースを有し、
前記駅内サーバは、列車毎の商品の注文内容を管理する列車毎注文内容管理データベースと、商品情報を管理する商品管理データベースとを有する途中停車駅の駅内サーバとを有する列車からの発注システムであって、
前記クライアントは、自己の乗車する列車の座席番号と、途中停車駅で購入を希望する商品名と数量を記載した注文リストを、前記列車内サーバに送信する手段１と、
前記列車内サーバから送信される前記注文リストに対する結果を表示する手段２とを有し、
前記列車内サーバは、前記クライアントから送信された注文リストを、前記途中停車駅の駅内サーバに送信する手段１と、
前記途中停車駅の駅内サーバから送信される前記注文リストに対する結果を前記クラインアントに送信する手段２と、
前記途中停車駅の駅内サーバから送信される前記注文リストに対する結果が、在庫有りの場合に前記列車毎注文内容管理データベースを更新する手段３とを有し、
前記途中停車駅の駅内サーバは、前記商品管理データベースを検索し、前記注文リストに記載された商品が前記注文リストに記載された数量分だけ在庫があるか否かを判断し、前記注文リストに対する結果として、在庫有り、あるいは、在庫無しを前記列車内サーバに送信する手段１と、
前記注文リストに対する結果が在庫有りの場合に、前記列車毎注文内容管理データベースを更新する手段２と、
前記注文リストに対する結果が在庫有りの場合に、前記店舗端末装置に前記注文リストに記載された商品を前記注文リストに記載された数量だけ発注する手段３とを有することを特徴とする列車からの発注システム。
【発明の詳細な説明】
【技術分野】
【０００１】
本発明は、インターネットを介した商品取引に関し、特に、発注者が、列車内から注文を行い、自席で受け取る商品の発注／配送システムに関する。
【背景技術】
【０００２】
インターネットを利用した商品の販売システムについては、従来から良く知られている。
従来の方法によれば、注文は、パーソナルコンピュータや携帯端末等を利用してどこからでも行えるが、商品の受け取りは、自宅やコンビニエンスストア等の店舗といった決められた場所での受け取りに限定されており、また、注文から受け取りまでに、通常、数日を要していた。
更に、発注者で、かつ受け取り者が列車に乗車している場合には、車内の売店やワゴンサービスで販売されている商品しか購入できなかった。
【発明の開示】
【発明が解決しようとする課題】
【０００３】
前述したように、従来、発注者で、かつ受け取り者が列車に乗車している場合には、車内の売店やワゴンサービスで販売されている商品しか購入できず、目的の駅に到着するまでの途中の停車駅での停車時間が短いため、途中の停車駅の販売店において、購入を希望する商品を購入することは出来ないと言う問題があった。
本発明は、前記従来技術の問題点を解決するためになされたものであり、本発明の目的は、列車内より、従来は購入出来なかった途中の停車駅で販売している商品についても、購入することが可能となる列車からの発注システムを提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
即ち、本発明は、クライアントと、前記クライアントと第１のネットワークを介して互いに相互に接続される列車内サーバと、前記列車内サーバと第２のネットワークを介して互いに相互に接続される途中停車駅の駅内サーバ、および店舗端末装置とを備え、前記列車内サーバは、座席毎の商品の注文内容を管理する座席毎注文内容管理データベースを有し、前記駅内サーバは、列車毎の商品の注文内容を管理する列車毎注文内容管理データベースと、商品情報を管理する商品管理データベースとを有する途中停車駅の駅内サーバとを有する列車からの発注システムであって、前記クライアントが、自己の乗車する列車の座席番号と、途中停車駅で購入を希望する商品名と数量を記載した注文リストを、前記列車内サーバに送信する手段１と、前記列車内サーバから送信される前記注文リストに対する結果を表示する手段２とを有し、前記列車内サーバが、前記クライアントから送信された注文リストを、前記途中停車駅の駅内サーバに送信する手段１と、前記途中停車駅の駅内サーバから送信される前記注文リストに対する結果を前記クラインアントに送信する手段２と、前記途中停車駅の駅内サーバから送信される前記注文リストに対する結果が、在庫有りの場合に前記列車毎注文内容管理データベースを更新する手段３とを有し、前記途中停車駅の駅内サーバが、前記商品管理データベースを検索し、前記注文リストに記載された商品が前記注文リストに記載された数量分だけ在庫があるか否かを判断し、前記注文リストに対する結果として、在庫有り、あるいは、在庫無しを前記列車内サーバに送信する手段１と、前記注文リストに対する結果が在庫有りの場合に、前記列車毎注文内容管理データベースを更新する手段２と、前記注文リストに対する結果が在庫有りの場合に、前記店舗端末装置に前記注文リストに記載された商品を前記注文リストに記載された数量だけ発注する手段３とを有することを特徴とする。
【発明の効果】
【０００５】
本願において開示される発明のうち代表的なものによって得られる効果を簡単に説明すれば、下記の通りである。
本発明によれば、商品の購入者は、列車内より、従来は購入出来なかった途中の停車駅で販売している商品についても、購入することが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例の列車からの発注システムの概略構成を示すブロック図である。
図１において、１００はユーザ端末装置（例えば、携帯型のパーソナルコンピュータ、あるいは携帯電話機など）、１０１は列車内サーバ、１０２は座席毎注文内容管理データベース、１０３は列車内ネットワーク、１０４は店舗端末装置、１０５は途中停車駅の駅内サーバ、１０６は列車毎注文内容管理データベース、１０７は商品管理データベース、１０８はネットワーク（インターネット）である。
ユーザは、ユーザ端末装置１００を使用し、ネットワーク１０３を介して列車内サーバ１０１と接続して商品の発注と、発注内容の確認を行う。
列車内サーバ１０１は、ネットワーク１０８を介して駅内サーバ１０５と接続され、注文された商品の在庫確認と、座席毎注文内容管理データベース１０２の更新を行う。座席毎注文内容管理データベース１０２は、座席毎の注文内容の管理を行う。
店舗端末装置１０４は、ネットワーク１０８を介して駅内サーバ１０５と接続され、商品管理データベース１０７内の商品情報の更新を行う。
駅内サーバ１０５は、列車毎注文内容管理データベース１０６と商品管理データベース１０７の更新を行う。列車毎注文内容管理データベース１０６は、列車毎の注文内容の管理を行い、商品管理データベース１０７は、商品情報の管理を行う。
【０００７】
本実施例において、商品の発注は、図２の流れで行う。
店舗端末装置１０４が、駅内サーバ１０５に商品データベースの更新要求を行い（ステップ２００）、駅内サーバ１０５は、商品管理データベース１０７内の商品情報の更新を行う（ステップ２０１）。
ユーザは、ユーザ端末装置１００を使用して、列車内サーバ１０１にアクセス要求を行う（ステップ２０２）。
列車内サーバ１０１は、商品の発注が可能な途中停車駅、および、商品の配送先となる座席を特定するため、ユーザ端末装置１００に、降車駅と座席の情報の送信要求を行う（ステップ２０３）。
ユーザ端末装置１００は、ユーザ端末装置１００内の指定席券情報、又は、ユーザから入力された情報から降車駅と座席情報を取得し、列車内サーバ１０１に降車駅／座席情報を送信する（ステップ２０４）。
列車内サーバ１０１は、受信した降車駅情報に基づき、商品の発注が可能な途中停車駅のリストを作成し（ステップ２０５）、ユーザ端末装置１００に駅リストを送信し、商品を発注する駅選択の要求を行う（ステップ２０６）。
ユーザ端末装置１００は、駅リストの表示を行い（ステップ２０７）、ユーザによる駅の選択を待ち、選択された駅情報を列車内サーバ１０１に送信する（ステップ２０８）。
列車内サーバ１０１は、該当する途中停車駅の駅内サーバ１０５に対して商品情報の送信の要求を行う（ステップ２０９）。
【０００８】
駅内サーバ１０５は、商品管理データベース１０７内の商品情報に基づき、発注可能な商品の商品リストを作成し（ステップ２１０）、作成した商品リスト（商品情報）を列車内サーバ１０１に送信する（ステップ２１１）。
列車内サーバ１０１は、ユーザ端末装置１００に対して商品リストを送信し、商品の選択と数量の指定の要求を行う（ステップ２１２）。
ユーザ端末装置１００は、発注可能な商品のリストを表示部に表示し（ステップ２１３）、ユーザの商品選択及び数量指定を待ち、ユーザが選択した商品及び指定の数量を列車内サーバ１０１に送信する（ステップ２１４）。
列車内サーバ１０１は、ユーザ端末装置１００から送信された、商品及び指定の数量に基づき、商品名と数量が記載された注文リストを作成する（ステップ２１６）。
ユーザ端末装置１００は、同一駅内での商品の注文の終了が選択された否かを判断し（ステップ２１６）、ステップ２１６において、同一駅内での他の商品の注文が選択されたときには、前述のステップ２１３ないしステップ２１５を繰り返す。
即ち、ユーザは、同一駅内での商品の注文が終了するまで、商品の選択及び数量の指定を繰り返し行い、列車内サーバ１０１は、全ての注文に対応した注文リストの作成を行う。
ステップ２１６において、同一駅内で商品の注文の終了が選択されたときには、ユーザ端末装置１００は、列車内サーバ１０１に対して、注文の確定を送信し、注文を確定する（ステップ２１７）。
列車内サーバ１０１は、作成した注文リストを駅内サーバ１０５に送信し、在庫確認の要求を行う（ステップ２１８）。
駅内サーバ１０５は、商品管理データベース１０７を検索し、受信した注文リストに記載されている商品の在庫確認を行う（ステップ２１９）。
【０００９】
駅内サーバ１０５は、受信した注文リストに記載されている商品の在庫の有無の判定を行い（ステップ２２０）、ステップ２２０において、在庫ありと判断された場合は、列車毎注文内容管理データベース１０６の更新を行い（ステップ２２１）、店舗端末装置１０４に注文票を送信する（ステップ２２２）。
店舗端末装置１０４は、注文票の出力を行う（ステップ２２３）。
また、駅内サーバ１０５は、ステップ２２０において、在庫あり、あるいは在庫無しのいずれの場合も、注文リストに対する結果として、注文リストに在庫の有無の情報を付加して列車内サーバ１０１に送信する（ステップ２２４）。
列車内サーバ１０１は、注文の成否の判定を行い（ステップ２２５）、ステップ２２５において注文成功（在庫あり）と判断された場合には、座席毎注文内容管理データベース１０２の注文情報の更新を行う（ステップ２２６）。
列車内サーバ１０１は、ステップク２２５において、注文成功（在庫あり）、あるいは注文失敗（在庫無し）のいずれの場合にも、ユーザ端末装置１００に対して、注文に対する注文成功／失敗（在庫なし）の情報を送信する（ステップ２２７）。
ユーザ端末装置１００は、表示部に注文の結果を表示し、ユーザに通知する（ステップ２２８）。
次に、ユーザ端末装置１００は、他の駅での商品の発注を続行するかどうかユーザに対して入力待ちとし（ステップ２２９）、ステップ２２９において、注文を行う場合には、前述の各ステップを実行して発注処理を繰り返し行い、ステップ２２９において、注文無しの場合には処理を終了する。
【００１０】
発注された商品の配送は、図３の流れで行う。
注文を受けた店舗では、注文を受けた商品を用意し（ステップ３００）、用意した商品を途中停車駅内の商品センタへ配送する（ステップ３０１）。
途中停車駅内の商品センタに配送された商品は、列車毎注文内容管理データベース１０６内の列車毎の注文情報に基づき、列車毎に搬入する商品を収集し（ステップ３０２）、列車内に商品の搬入を行う（ステップ３０３）。
列車内の商品センタは、座席毎注文内容管理データベース１０２内の座席毎の注文情報に基づき、列車内に搬入された商品を座席毎に分配し、配送を行い（ステップ３０４）、発注したユーザの座席で商品の受け渡しを行う（ステップ３０５）。
以上説明したように、本実施例によれば、商品の購入者が、列車内より、従来は購入出来なかった途中停車駅で販売している商品についても、購入出来るようになるばかりか、商品の販売者は、従来は商品の販売の対象にならなかった列車内の乗客に対しても商品を販売することが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明の実施例の列車からの発注システムの概略構成を示すブロック図である。
【図２（ａ）】本発明の実施例の列車からの発注システムにおいて、端末及びサーバ間の処理の流れを説明する図である。
【図２（ｂ）】本発明の実施例の列車からの発注システムにおいて、端末及びサーバ間の処理の流れを説明する図である。
【図２（ｃ）】本発明の実施例の列車からの発注システムにおいて、端末及びサーバ間の処理の流れを説明する図である。
【図３】本発明の実施例の列車からの発注システムにおいて、注文した商品の流れを説明する図である。
【符号の説明】
【００１２】
１００  ユーザ端末装置
１０１  列車内サーバ
１０２  座席毎注文内容管理データベース
１０３  列車内ネットワーク
１０４  店舗端末装置
１０５  駅内サーバ
１０６  列車毎注文内容管理データベース
１０７  商品管理データベース
１０８  ネットワーク
【図１】
2005258510.tif 000003
【図２（ａ）】
2005258510.tif 000004
【図２（ｂ）】
2005258510.tif 000005
【図２（ｃ）】
2005258510.tif 000006
【図３】
2005258510.tif 000007